(57)【特許請求の範囲】
【請求項１】
窓ガラスの側方にて枠内方向に突設される鍔部を有する既設のサッシ窓枠に取り付けられて増設の窓部を保持する枠材であって、
前記増設の窓部が取り付けられる取付面と前記サッシ窓枠の前記窓ガラスとは反対側に係止される基端側係止部とを有する枠材本体と、
前記枠材本体に対し着脱可能であって、前記鍔部の前記窓ガラス側に係止される先端側係止部と前記鍔部の枠内側端縁部を越える橋状部とを有する係止部材とを備え、
前記枠材本体には前記取付面から凹むガイド溝が形成されており、
前記係止部材は、前記先端側係止部を前記基端側係止部に対し近接および離間させる方向に摺動可能となるように前記橋状部が前記ガイド溝に嵌合されることを特徴とする枠材。
【請求項２】
前記橋状部には摺動方向に延在する長穴が形成されていることを特徴とする請求項１記載の枠材。
【請求項３】
既設のサッシ窓枠に取り付けられる増設窓であって、
請求項１または２に記載の枠材を枠状に連結してなる増設の窓枠と、該増設の窓枠に取り付けられる増設の窓部とを有することを特徴とする増設窓。
【発明の詳細な説明】
【技術分野】
【０００１】
本発明は、例えば既存の窓部を二重窓構造にすることが可能な枠材および増設窓に関する。
【背景技術】
【０００２】
既存窓枠に、屋内側から増設窓枠を増設する二重窓枠がある（例えば、特許文献１参照）。この二重窓枠では、既存窓枠の屋内側端面と増設窓枠の室外側端面とを接合したり、既存窓枠の内周面と増設窓枠の外周面とを接合したり、あるいは既存窓枠の内周面と増設窓枠の外周面とを連結部材により連結するようになっている。
【先行技術文献】
【特許文献】
【０００３】
【特許文献１】特開２００７−１２６９１３号公報
【発明の概要】
【発明が解決しようとする課題】
【０００４】
上記の二重窓枠では、施工が煩雑であるという問題があった。、
【０００５】
本発明は、かかる問題点に鑑みてなされたものであり、窓部の増設の施工性を向上させることができる枠材および増設窓の提供を目的とする。
【課題を解決するための手段】
【０００６】
上記目的を達成するために、本発明に係る枠材は、窓ガラスの側方にて枠内方向に突設される鍔部を有する既設のサッシ窓枠に取り付けられて増設の窓部を保持する枠材であって、前記増設の窓部が取り付けられる取付面と前記サッシ窓枠の前記窓ガラスとは反対側に係止される基端側係止部とを有する枠材本体と、前記枠材本体に対し着脱可能であって、前記鍔部の前記窓ガラス側に係止される先端側係止部と前記鍔部の枠内側端縁部を越える橋状部とを有する係止部材とを備え、前記枠材本体には前記取付面から凹むガイド溝が形成されており、前記係止部材は、前記先端側係止部を前記基端側係止部に対し近接および離間させる方向に摺動可能となるように前記橋状部が前記ガイド溝に嵌合されることを特徴とする。
【０００７】
また、本発明に係る枠材は、前記橋状部には摺動方向に延在する長穴が形成されていることを特徴とする。
【０００８】
本発明に係る増設窓は、既設のサッシ窓枠に取り付けられる増設窓であって、前記枠材を枠状に連結してなる増設の窓枠と、該増設の窓枠に取り付けられる増設の窓部とを有することを特徴とする。
【発明の効果】
【０００９】
本発明に係る枠材によれば、既設のサッシ窓枠の鍔部の窓ガラス側に先端側係止部が係止され、鍔部の枠内側端縁部を橋状部が越え、既設のサッシ窓枠の窓ガラスとは反対側に基端側係止部が係止されることにより、既設のサッシ窓枠に取り付けられることになるため、既設のサッシ窓枠に簡単に取り付けられることになる。したがって、この取り付けを含んだ窓部の増設の施工性を向上させることができる。
【００１０】
本発明に係る枠材によれば、増設の窓部が取り付けられる取付面と基端側係止部とを有する枠材本体と、先端側係止部と橋状部とを有して枠材本体に対して着脱可能な係止部材とを有するため、構造を簡素化でき、コストを低減できる。
【００１１】
本発明に係る増設窓によれば、枠材を枠状に連結してなる増設の窓枠は、既設のサッシ窓枠の鍔部の窓ガラス側に先端側係止部が係止され、鍔部の枠内側端縁部を橋状部が越え、既設のサッシ窓枠の窓ガラスとは反対側に基端側係止部が係止されることにより、既設のサッシ窓枠に取り付けられることになるため、既設のサッシ窓枠に簡単に取り付けられることになる。したがって、この取り付けを含んだ窓部の増設の施工性を向上させることができる。
【図面の簡単な説明】
【００１２】
【図１】本発明の一実施形態に係る枠材を示すもので、（ａ）は平面図、（ｂ）は（ａ）のＡ−Ａ断面図である。
【図２】本発明の一実施形態に係る枠材を含む増設窓を既設のサッシ窓とともに示す縦断面図である。
【図３】本発明の一実施形態に係る枠材を含む増設窓を既設のサッシ窓とともに示す横断面図である。
【図４】本発明の一実施形態に係る枠材の既設のサッシ窓への取付手順を示す縦断面図である。
【図５】本発明の一実施形態に係る枠材を含む増設窓の変形例を既設のサッシ窓とともに示す縦断面図である。
【発明を実施するための形態】
【００１３】
以下、本発明の一実施形態に係る枠材および増設窓を図面を参照して説明する。
【００１４】
図１に示すように、本実施形態に係る枠材１０は、枠材本体１１と、枠材本体１１に対し着脱可能な係止部材１２とを有している。
【００１５】
枠材本体１１は、長尺状をなすもので、木材の例えば集成材からなる芯材１５と、芯材１５の長さ方向に沿う略全外面を被覆する耐水性に優れたポリ塩化ビニル等の合成樹脂からなる外層１６とからなっている。外層１６のうち枠材本体１１の厚さ方向の一側の層部１８には、その表面部（取付面）１９から凹むようにガイド溝２０が形成されている。このガイド溝２０は、具体的には、層部１８を厚さ方向に貫通しており、その両側壁面が層部１８からなり、底面が芯材１５からなっている。ガイド溝２０は、枠材本体１１の長さ方向に一定幅をなしており、枠材本体１１の幅方向の中間位置から幅方向の一端の層部（基端側係止部）２１側にのみ抜け他端の層部２２側には抜けない形状をなしている。
【００１６】
係止部材１２は、ステンレス鋼材等の金属板材からなるもので、矩形の基板部（橋状部）２５と、基板部２５の一端縁部から基板部２５に対し垂直方向に延出する係止板部（先端側係止部）２６とを有している。基板部２５には、係止板部２６と直交する方向に延在する長穴２７が幅方向の中央に形成されている。基板部２５は、枠材本体１１のガイド溝２０に枠材本体１１の幅方向に沿って摺動可能に嵌合されることになり、係止板部２６は、枠材本体１１の層部２１と対向配置される。これにより、係止部材１２の係止板部２６は、これに対向する枠材本体１１の層部２１に対して近接および離間可能となっている。
【００１７】
枠材本体１１は、その層部２１に貼付される長尺状の水密材（基端側係止部）３０を有している。この水密材３０は層部２１の層部１８側の端縁部近傍にこの端縁部に沿って貼付されている。
【００１８】
図２および図３に符号４０で示すものは、オフィスビルや住宅等の壁３８に設置された既設のサッシ窓である。この既設のサッシ窓４０は、アルミニウム合金からなる矩形枠状のサッシ窓枠４１と、このサッシ窓枠４１にスライド可能に取り付けられる二枚の窓ガラス４２，４３とを有している。サッシ窓枠４１は、図２に示す下枠４５および上枠４６と、図３に示す二本の竪枠４７，４７とからなっている。図２に示すように、下枠４５には、屋内側の窓ガラス４３の側方となる屋内側の端部位置に鍔部５０が、上枠４６にも、窓ガラス４３の側方となる屋内側の端部位置に鍔部５１が、それぞれ枠内方向に突設されており、図３に示すように、竪枠４７，４７にも、窓ガラス４３の側方となる屋内側の端部位置に鍔部５２が、それぞれ枠内方向に突設されている。
【００１９】
このような既設のサッシ窓枠４１の大きさに合わせて、上記した枠材１０が四本、図２に示す下枠材１０（Ａ）および上枠材１０（Ｂ）と図３に示す二本の竪枠材１０（Ｃ），１０（Ｃ）とをそれぞれ構成するように適宜切断され、これらが枠状に連結されて増設の窓枠５５が形成される。なお、隣り合う枠材１０，１０同士の連結は、皿ビス等のネジ部材で行い、ネジ部材の頭部は化粧キャップ等で被覆する。
【００２０】
図２に示す下枠材１０（Ａ）には、枠材本体１１の層部１８の表面部１９に、増設の窓部６０を構成する建具下枠６１が取り付けられている。この建具下枠６１は、ポリ塩化ビニル等の合成樹脂からなるもので、長尺状の当板部６２と、当板部６２の幅方向の両側から当板部６２と垂直をなして同側に立ち上がる一対のレール板部６３，６４と、当板部６２の幅方向の一端から当板部６２と垂直をなしてレール板部６３，６４と同側に立設される壁板部６５とを有している。この建具下枠６１は、下枠材１０（Ａ）にこれが上記のように窓枠５５とされる前に予め取り付けられることになる。
【００２１】
建具下枠６１は、下枠材１０（Ａ）に対し、層部２１とは反対側に壁板部６５を配置した状態で、当板部６２において層部１８の表面部１９に当接させられることになり、この状態で、ネジ部材６６が当板部６２および枠材本体１１の層部１８を貫通して芯材１５まで締め込まれることで、枠材本体１１に固定される。
【００２２】
上枠材１０（Ｂ）には、枠材本体１１の層部１８の表面部１９に、増設の窓部６０を構成する建具上枠７１が取り付けられている。この建具上枠７１は、ポリ塩化ビニル等の合成樹脂からなるもので、長尺状の当板部７２と、当板部７２の幅方向の両端縁部から当板部７２と垂直をなして同側に立設される一対のガイド板部７３，７４と、当板部７２の幅方向の中央部から当板部７２と垂直をなしてガイド板部７３，７４と同側に立設されるガイド板部７５とを有している。この建具上枠７１は、上枠材１０（Ｂ）にこれが上記のように窓枠５５とされる前に予め取り付けられることになる。
【００２３】
建具上枠７１は、上枠材１０（Ｂ）に対し、当板部７２において層部１８の表面部１９に当接させられることになり、この状態でネジ部材７６が当板部６２および枠材本体１１の層部１８を貫通して芯材１５まで締め込まれることで、枠材本体１１に固定される。
【００２４】
図３に示す竪枠材１０（Ｃ），１０（Ｃ）には、枠材本体１１の層部１８の表面部１９に、増設の窓部６０を構成する建具竪枠８１がそれぞれ取り付けられている。これらの建具竪枠８１は、ポリ塩化ビニル等の合成樹脂からなるもので、長尺状の当板部８２と、当板部８２の幅方向の両端縁部から当板部８２と垂直をなして同側に立設される一対のガイド板部８３，８４と、当板部８２の幅方向の中央部から当板部８２と垂直をなしてガイド板部８３，８４と同側に立設されるガイド板部８５とを有している。これらの建具竪枠８１は、竪枠材１０（Ｃ），１０（Ｃ）のそれぞれにこれらが上記のように窓枠５５とされる前に予め取り付けられることになる。
【００２５】
建具竪枠８１は、竪枠材１０（Ｃ），１０（Ｃ）のそれぞれに対し、当板部８２において層部１８の表面部１９に当接させられることになり、この状態でネジ部材８６が当板部８２および枠材本体１１の層部１８を貫通して芯材１５まで締め込まれることで、枠材本体１１に固定される。
【００２６】
上記したように、図２に示す建具下枠６１が取り付けられた下枠材１０（Ａ）と、建具上枠７１が取り付けられた上枠材１０（Ｂ）と、図３に示す建具竪枠８１がそれぞれ取り付けられた二本の竪枠材１０（Ｃ），１０（Ｃ）とが枠状に連結されて増設の窓枠５５が形成される。この窓枠５５には、すべての枠材本体１１の幅方向（屋内外方向）の同側にガイド溝２０が配置されている。なお、図２に示す下枠材１０（Ａ）および上枠材１０（Ｂ）には、それぞれ枠材本体１１にガイド溝２０が間隔をあけて四カ所形成されており、図３に示す両側の竪枠材１０（Ｃ），１０（Ｃ）には、それぞれ枠材本体１１にガイド溝２０が間隔をあけて二カ所ずつ形成されている。
【００２７】
図４（ａ）に示すように、上記の窓枠５５に対し下枠材１０（Ａ）のみに、係止部材１２を仮組みしておく。つまり、四つの係止部材１２を、四カ所のガイド溝２０に嵌合し枠材本体１１と建具下枠６１とで挟持しておく。なお、この時点で図２に示す上枠材１０（Ｂ）および図３に示す両側の竪枠材１０（Ｃ），１０（Ｃ）には係止部材１２を取り付けないでおく。
【００２８】
そして、図４（ａ）に示すように、窓枠５５の下枠材１０（Ａ）の係止部材１２を、その係止板部２６を水密材３０を含む枠材本体１１から所定距離離間させた状態として、既設のサッシ窓枠４１の下枠４５の鍔部５０に引っかける。つまり、鍔部５０の窓ガラス４３側（図４の左側）の面に係止板部２６を対向させ、鍔部５０の枠内側端縁部に基板部２５を載せ、鍔部５０の窓ガラス４３とは反対側（図４の右側）の面に水密材３０および枠材本体１１の一端の層部２１を対向させる。これにより、窓枠５５は、下枠材１０（Ａ）においてサッシ窓枠４１に支持される。
【００２９】
この状態で、窓枠５５を全周にわたってサッシ窓枠４１に当接させ、図４（ｂ）に示すように係止部材１２をスライドさせて係止板部２６を鍔部５０に当接させる。そして、取付ネジ９０を建具下枠６１の当板部６２にねじ込み、係止部材１２の長穴２７に挿通させて下枠材１０（Ａ）の芯材１５に締め込み、係止部材１２を下枠材１０（Ａ）に仮止めする。これにより、下枠材１０（Ａ）に設けられた係止部材１２が、係止板部２６において下枠４５の鍔部５０の窓ガラス４３側に係止され、基板部２５において鍔部５０の枠内側端縁部を橋状に越え、枠材本体１１が層部２１あるいは水密材３０において下枠４５の窓ガラス４３とは反対側に係止される状態となる。
【００３０】
次に、図２に示す窓枠５５の上枠材１０（Ｂ）に対し、係止部材１２を、鍔部５１の窓ガラス４３側の面に係止板部２６を対向させるようにして、基板部２５においてガイド溝２０に挿入しスライドさせて、係止板部２６を鍔部５１に当接させる。そして、取付ネジ９０を建具上枠７１の当板部７２にねじ込み、係止部材１２の長穴２７に挿通させて上枠材１０（Ｂ）の芯材１５に締め込み、係止部材１２を上枠材１０（Ｂ）に仮止めする。これにより、上枠材１０（Ｂ）に設けられた係止部材１２が、係止板部２６において下枠４５の鍔部５０の窓ガラス４３側に係止され、基板部２５において鍔部５０の枠内側端縁部を橋状に越え、枠材本体１１が層部２１あるいは水密材３０において下枠４５の窓ガラス４３とは反対側に係止される状態となる。
【００３１】
次に、図３に示す窓枠５５の両側の竪枠材１０（Ｃ），１０（Ｃ）のそれぞれに対し、係止部材１２を、鍔部５２の窓ガラス４３側の面に係止板部２６を対向させるようにして、基板部２５においてガイド溝２０に挿入しスライドさせて、係止板部２６を鍔部５２に当接させる。そして、取付ネジ９０を建具竪枠８１の当板部８２にねじ込み、係止部材１２の長穴２７に挿通させて竪枠材１０（Ｃ），１０（Ｃ）の芯材１５に締め込み、係止部材１２を竪枠材１０（Ｃ），１０（Ｃ）に仮止めする。これにより、竪枠材１０（Ｃ），１０（Ｃ）に設けられた係止部材１２が、係止板部２６において下枠４５の鍔部５０の窓ガラス４３側に係止され、基板部２５において鍔部５０の枠内側端縁部を橋状に越え、枠材本体１１が層部２１あるいは水密材３０において下枠４５の窓ガラス４３とは反対側に係止される状態となる。
【００３２】
そして、最後に、図２に示すように、下枠材１０（Ａ）に設けられた係止部材１２の係止板部２６を枠材本体１１側に限界まで移動させて取付ネジ９０を最後まで締め込むとともに、上枠材１０（Ｂ）に設けられた係止部材１２の係止板部２６を枠材本体１１側に限界まで移動させて取付ネジ９０を最後まで締め込むことになり、同様に、図３に示すように、竪枠材１０（Ｃ），１０（Ｃ）に設けられた係止部材１２の係止板部２６を枠材本体１１側に限界まで移動させて取付ネジ９０を最後まで締め込む。これにより、層部２１に貼付されていた水密材３０が圧縮変形することになり、サッシ窓枠４１の鍔部５０，５１，５２，５２をすべての係止部材１２が、それぞれの係止板部２６と、枠材本体１１の水密材３０あるいは層部２１とで挟持することになる。
【００３３】
上記のようにして、既設のサッシ窓４０に取り付けられた窓枠５５の建具上枠７１のガイド板部７３とガイド板部７５との間に上部を配置しつつ建具下枠６１のレール板部６３に下部を支持させるようにして窓部６０の建具本体９２を取り付け、ガイド板部７４とガイド板部７５との間に上部を配置しつつ建具下枠６１のレール板部６４に下部を支持させるようにして窓部６０の建具本体９３を取り付ける。このようにして、建具下枠６１と建具上枠７１と一対の建具竪枠８１，８１と二つの建具本体９２，９３とを有する増設の窓部６０が、窓枠５５で既設のサッシ窓枠４１に保持されて二重窓構造となる。増設の窓枠５５と増設の窓部６０とが、既設のサッシ窓枠４１に取り付けられる増設窓９５を構成している。
【００３４】
以上に述べた本実施形態によれば、枠材１０を枠状に連結してなる増設の窓枠５５は、既設のサッシ窓枠４１の鍔部５０，５１，５２，５２の窓ガラス４３側に係止板部２６が係止され、鍔部５０，５１，５２，５２の枠内側端縁部を基板部２５が越え、サッシ窓枠４１の窓ガラス４３とは反対側に層部２１が係止されることにより、サッシ窓枠４１に取り付けられるため、既設のサッシ窓枠４１に簡単に取り付けられることになる。したがって、この取り付けを含んだ窓部６０の増設の施工性を向上させることができる。
【００３５】
また、本実施形態の枠材１０および窓枠５５は、サッシ窓枠４１に直接取り付けることができるため、特に既存サッシの内側に窓木枠等が取り付けられていない仮設住宅において簡単に二重内窓を構成するための窓枠５５を増設でき、好適である。
【００３６】
また、枠材１０が、増設の窓部６０が取り付けられる取付面となる表面部１９とサッシ窓枠４１の鍔部５０，５１，５２，５２の窓ガラス４３とは反対側に係止される層部２１および水密材３０を有する枠材本体１１と、サッシ窓枠４１の鍔部５０，５１，５２，５２の窓ガラス４３側の面に係止される先端側係止部としての係止板部２６と鍔部５０，５１，５２，５２の枠内側端縁部を越える橋状部としての基板部２５とを有して枠材本体１１に対して着脱可能な係止部材１２とを有するため、構造を簡素化でき、コストを低減できる。
【００３７】
なお、図５に示すように、窓枠５５の下枠材１０（Ａ）および上枠材１０（Ｂ）に断面Ｌ字状の補強ブラケット１００をネジ１０１により固定し、これらの補強ブラケット１００をスペーサ１０２を介して壁３８にネジ１０３により固定することで窓枠５５の取付強度を補強するようにしても良い。この構造を、下枠材１０（Ａ）および上枠材１０（Ｂ）に加えて竪枠材１０（Ｃ），１０（Ｃ）に適用しても良い。
【符号の説明】
【００３８】
１０  枠材
１１  枠材本体
１２  係止部材
１９  表面部（取付面）
２１  層部（基端側係止部）
２５  基板部（橋状部）
２６  係止板部（先端側係止部）
３０  水密材（基端側係止部）
４１  既設のサッシ窓枠
４２，４３  窓ガラス
５０，５１，５２  鍔部
６０  増設の窓部
９５  増設窓
【図１】
0005597658.tif 000002
【図２】
0005597658.tif 000003
【図３】
0005597658.tif 000004
【図４】
0005597658.tif 000005
【図５】
0005597658.tif 000006